(57)【要約】【課題】旅客機のハイクラス用シートの姿勢を調節するスイッチ等の用途に用いられ、複数個の操作釦を確実に整列して配設できる多連型シーソースイッチを提供する。【解決手段】複数個の押圧スイッチを対称位置に配列した配線基板７を下面に有し、内部の対向する壁面２Ａ，２Ｂ間に円形軸１２を保持した上ケース２と、上ケース２の上面に操作面１７が露出して円形軸１２に回動可能に嵌合保持されるとともに、捻りコイルばねにより通常位置に復帰可能に付勢された操作釦１４と、操作面１７の下面に当接して上下動により各押圧スイッチを動作させる複数個の押圧棒からなる多連型シーソースイッチとすることにより、複数個の操作釦１４が整列した多連型シーソースイッチ１が得られる。【選択図】図１
2008226692.tif 000002
【特許請求の範囲】
【請求項１】
長方形状の長手方向の略中心線を挟んで両側に、対となった複数個の押圧スイッチがあらかじめ設定されたピッチで配列・装着された配線基板と、
下面が開口部である細長い直方体形状で、前記配線基板が前記開口部を塞ぐように配設され、天井面の、前記複数個の押圧スイッチに相対する位置に複数個の筒状部を有するケースと、
前記ケースの筒状部に上下動可能に保持され、前記複数個の押圧スイッチの押圧部にそれぞれ当接する複数個の押圧棒と、
前記ケースの長手方向両端部の壁面により、前記配線基板と平行に前記複数個の押圧スイッチの配列中心線の上方に保持された剛性材料からなる円形軸と、
前記複数個の押圧スイッチそれぞれに対応して配設され、独立して回動可能なように下方に突出した脚部先端の円形孔が前記円形軸に嵌合保持され、上部が前記ケースの天井面上に露出して対となった操作面を形成するとともに、その下面が各前記押圧棒の上端に当接する複数個の操作釦と、
前記円形軸の周囲にコイル部が配設され、前記ケースの天井面に前記円形軸の軸線を挟んで対称に整列して設けられた角孔の端面に、両端のフック部の外側が一定の付勢力をもって弾接するとともに、前記両端のフック部の延長された先端部の外側が各前記操作釦の操作面の下部に設けられた１対の突出部に弾接している捻りコイルばねとで構成されていることを特徴とする多連型シーソースイッチ。
【請求項２】
前記複数個の操作釦のそれぞれ対となった各操作面の一方に押圧力が加えられて前記操作釦が回動して傾き、その操作面の下面に当接する前記押圧棒が押し下げられて下方の前記押圧スイッチが動作する時点において、前記押圧棒の上端が当接する前記操作面の下面が前記押圧棒の軸線方向に対して略垂直となるように、通常状態において前記複数個の操作釦の操作面の下面が前記押圧棒の軸線方向に対して傾斜しているとともに、前記複数個の押圧棒の上端が球面形状であることを特徴とする請求項１に記載の多連型シーソースイッチ。
【請求項３】
前記押圧棒とこれを上下動可能に保持する前記ケースの天井面の筒状部との間に、前記押圧棒の押圧方向への動きを規制するストッパー部を備えることを特徴とする請求項１に記載の多連型シーソースイッチ。
【請求項４】
前記操作釦の脚部先端の円形孔の周囲に設けられた略円筒状のリブの内周または外周に、前記捻りコイルばねのコイル部が配設されていることを特徴とする請求項１に記載の多連型シーソースイッチ。
【請求項５】
前記円形軸を保持する前記ケースの長手方向両端部の壁面の一方には、前記円形軸の一定外径よりも僅かに小さくて外方が塞がれた穴が設けられ、他方には、前記円形軸の一定外径よりも僅かに大きい貫通孔が設けられるとともに、前記円形軸の一定外径の一端部は面取りまたは球面に加工され、他端部は、前記貫通孔が設けられた壁面の厚さの範囲内に、前記貫通孔の径よりも僅かに大きい外径の部分があるように加工されたものであり、前記円形軸の一端部が前記ケースの壁面の塞がれた穴に、他端部が前記ケースの壁面の貫通孔にそれぞれ圧入され、前記貫通孔の外方が塞がれたものであることを特徴とする請求項１に記載の多連型シーソースイッチ。
【発明の詳細な説明】
【技術分野】
【０００１】
本発明は、旅客機のハイクラス用シート等において、姿勢を調節するスイッチやその他の用途に用いられる多連型シーソースイッチに関する。
【背景技術】
【０００２】
近年、旅客機や客船等のハイクラス用のシートやマッサージチェアの背もたれや足のせ台等の角度を変えて、姿勢を調節することが行われている。
【０００３】
そして、これらの調節は、シートの背もたれや足のせ台の角度を変える方向を、大きくする場合と反対に小さくする場合の両方で加減されるので、同じ操作釦の押す位置によって電気信号を切り替えることができるシーソースイッチを使用することが多い。
【０００４】
また、背もたれや足のせ台等各種の調節用スイッチを一箇所に集めておく方が使用者に好都合であるので、調節用のシーソースイッチは一列に並べて配置されることが多く、その際、表面に調節内容が表示された操作釦が装着される。
【０００５】
このような目的に対して、従来は、特許文献１や特許文献２に記載されたような単体のシーソースイッチを配線基板上に複数個並べて装着することにより対応していた。
【特許文献１】特開平６−７３８４０号公報
【特許文献２】特開平１１−１９５３５２号公報
【発明の開示】
【発明が解決しようとする課題】
【０００６】
しかし、単体のシーソースイッチを配線基板上に複数個並べて半田付け等により装着する場合には、綺麗に並べて配置することは難しく、列が乱れたり、浮き上がって傾いたりするものがあると、表面に調節内容を表示した操作釦が不揃いになるので、配線基板にシーソースイッチを装着した後に確認や手直しをすることが必要であり、シーソースイッチの装着作業に手間がかかっていた。
【０００７】
本発明は、このような課題を解決するためになされたものであり、複数個のシーソースイッチを確実に整列して配設することができ、並べられた複数個の操作釦が、通常状態において上面視・側面視ともに安定した配列状態であり、また押圧操作時の感触が円滑である多連型シーソースイッチを提供することを目的とする。
【課題を解決するための手段】
【０００８】
上記課題を解決するために、本発明の多連型シーソースイッチは、長方形状の長手方向の略中心線を挟んで両側に、対となった複数個の押圧スイッチがあらかじめ設定されたピッチで配列・装着された配線基板と、下面が開口部である細長い直方体形状で、配線基板が開口部を塞ぐように配設され、天井面の、複数個の押圧スイッチに相対する位置に複数個の筒状部を有するケースと、ケースの筒状部に上下動可能に保持され、複数個の押圧スイッチの押圧部にそれぞれ当接する複数個の押圧棒と、ケースの長手方向両端部の壁面により、配線基板と平行に複数個の押圧スイッチの配列中心線の上方に保持された剛性材料からなる円形軸と、複数個の押圧スイッチそれぞれに対応して配設され、独立して回動可能なように下方に突出した脚部先端の円形孔が円形軸に嵌合保持され、上部がケースの天井面上に露出して対となった操作面を形成するとともに、その下面が各押圧棒の上端に当接する複数個の操作釦と、円形軸の周囲にコイル部が配設され、ケースの天井面に円形軸の軸線を挟んで対称に整列して設けられた角孔の端面に、両端のフック部の外側が一定の付勢力をもって弾接するとともに、両端のフック部の延長された先端部の外側が各操作釦の操作面の下部に設けられた１対の突出部に弾接している捻りコイルばねとで構成されている。
【０００９】
このような構成とすることにより、複数個のシーソースイッチの操作釦が剛性材料からなる１本の円形軸により嵌合保持されるとともに、通常状態において、複数個の操作釦はそれぞれの捻りコイルばねによって、１つのケースに設けられた角孔の端面に弾接しているので、並べられた複数個の操作釦は上面視・側面視ともに整列した配列状態であり、さらに、押圧操作時に、操作釦は円形軸を中心として円滑に回動して下面の押圧棒を垂直に押し下げ、各押圧スイッチの押圧部を真直ぐに押してスイッチ動作をさせ、その後に捻りコイルばねにより元の位置に復帰するので、スイッチング動作の確実な多連型シーソースイッチを実現することができる。
【００１０】
また、上記構成において、複数個の操作釦のそれぞれ対となった各操作面の一方に押圧力が加えられて操作釦が回動して傾き、その操作面の下面に当接する押圧棒が押し下げられて下方の押圧スイッチが動作する時点において、押圧棒の上端が当接する操作面の下面が押圧棒の軸線方向に対して略垂直となるように、通常状態において複数個の操作釦の操作面の下面が押圧棒の軸線方向に対して傾斜しているとともに、複数個の押圧棒の上端が球面形状であるようにしてもよい。
【００１１】
このような構成とすることにより、操作釦を押して押圧棒が下り始めて押圧スイッチの押圧部が動き始める時点での押圧力は小さくてよいので、操作面の傾斜した下面から押圧棒に加わる力が下方に押し下げる分力と横方向に押す分力に分かれて、押し下げる力が少なくなっても、押圧棒の先端の球面形状の上端部で滑って横方向の分力を逃がして、押圧棒は容易に押し下げられる。
【００１２】
そして、最も大きな押し下げ力を押圧スイッチに加える必要があるスイッチ動作時点において、操作面の下面が垂直に押圧棒を押すので横方向への分力はなく、確実にスイッチ動作をさせることができる。
【００１３】
また、上記構成において、押圧棒とこれを上下動可能に保持するケースの天井面の筒状部との間に、押圧棒の押圧方向への動きを規制するストッパー部を備えるようにしてもよい。
【００１４】
このような構成とすることにより、押圧棒を介して押圧スイッチの押圧部が押し込まれるストローク量を規制して、押圧部が不必要に押し込まれて押圧スイッチが損傷を受けることを防止できる。
【００１５】
また、上記構成において、操作釦の脚部先端の円形孔の周囲に設けられた略円筒状のリブの内周または外周に、捻りコイルばねのコイル部が配設されるようにしてもよい。
【００１６】
このような構成とすることにより、本発明の多連型シーソースイッチの製造工程において、複数個の操作釦をケース内に組み込む際に、このリブで捻りコイルばねのコイル部、すなわちばね全体の位置を安定させた状態で、捻りコイルばねの両端のフック部の先端を操作釦の操作部下面の１対の突出部に一定の力で弾接・支持させることによって、各操作釦と捻りコイルばねをあらかじめ一体化した状態でケース内へ容易に組み込むことができる。
【００１７】
また、上記構成において、円形軸を保持するケースの長手方向両端部の壁面の一方には、円形軸の一定外径よりも僅かに小さくて外方が塞がれた穴が設けられ、他方には、円形軸の一定外径よりも僅かに大きい貫通孔が設けられるとともに、円形軸の一定外径の一端部は面取りまたは球面に加工され、他端部は、貫通孔が設けられた壁面の厚さの範囲内に、貫通孔の径よりも僅かに大きい外径の部分があるように加工されたものであり、円形軸の一端部がケースの壁面の塞がれた穴に、他端部がケースの壁面の貫通孔にそれぞれ圧入され、貫通孔の外方が塞がれるようにしてもよい。
【００１８】
このような構成とすることにより、本発明の多連型シーソースイッチの製造工程において、円形軸をケースの長手方向両端部の壁面に保持させる際に、円形軸の面取りまたは球面に加工された一端部を一方の壁面の大きい貫通孔から容易に挿入することができ、この一端部が他方の壁面に達したら、面取りまたは球面部分をガイドにして塞がれた穴内に圧入することができ、また同時に、円形軸の他端部の大きい外径の部分を一方の壁面の大きい貫通孔内に圧入することによって、円形軸をケースの長手方向両端部の壁面に容易にがたつきなく保持させることができるとともに、貫通孔の外方も塞がれるので円形軸が抜けないようにできる。
【発明の効果】
【００１９】
本発明の多連型シーソースイッチは、複数個のシーソースイッチの操作釦が剛性材料からなる１本の円形軸により嵌合保持されるとともに、通常状態において、各操作釦はそれぞれの捻りコイルばねによって１つのケースに整列して設けられた角孔の端面に弾接しており、また、操作釦の下面に当接した押圧棒を介して各押圧スイッチを押圧動作させる構成である。
【００２０】
この結果、並べられた複数個のシーソースイッチの操作釦は上面視・側面視ともに整列した配列状態であるので、使用機器において操作内容を表示した操作釦をすっきりと揃えることができるとともに、操作時に、操作釦は円形軸を中心として円滑に回動して下面の押圧棒を垂直に押し下げ、押圧スイッチを真直ぐに押してスイッチ動作をさせ、その後、捻りコイルばねにより元の位置に復帰するので、スイッチング動作が円滑で確実な多連型シーソースイッチを実現することができるという大きな効果を奏する。
【発明を実施するための最良の形態】
【００２１】
以下、本発明の実施の形態について、図面を参照しながら説明する。
【００２２】
（第１の実施の形態）
図１は、本発明の第１の実施の形態による４連型シーソースイッチの正面断面図、図２は図１のＣ−Ｃ線における断面図、図３は図１のＤ−Ｄ線における断面図である。
【００２３】
同図に示すように、本実施の形態による４連型シーソースイッチ１は、ポリエーテルイミド（ＰＥＩ）やポリブチレンテレフタレート（ＰＢＴ）等の耐熱性、電気特性、機械的強度の優れた樹脂で形成され、下面が開口部である細長い直方体形状の上ケース２と、上ケース２と同様の樹脂で略同じ投影寸法に形成されて上面が開口部であり、互いの周囲壁の間にガラス・エポキシ樹脂製の配線基板７を挟んで上ケース２と結合された下ケース３とで筐体部を構成している。
【００２４】
そして、配線基板７の上面の長手方向中心線を挟んで両側には、対となった４組の右押圧スイッチ８Ａと左押圧スイッチ８Ｂがあらかじめ設定されたピッチで配設されているとともに、これらの押圧スイッチ８Ａ，８Ｂの各押圧部９Ａ，９Ｂそれぞれに当接する右押圧棒１０と左押圧棒１１の４組が、上ケース２の天井面の対応する位置に設けられた４組の筒状部４Ａ，４Ｂの保持孔５Ａ，５Ｂによってそれぞれの細径部１０Ａ，１１Ａを上下動可能に保持されている（図２参照）。
【００２５】
なお、上記の右押圧スイッチ８Ａと左押圧スイッチ８Ｂは、それぞれの押圧部９Ａ，９Ｂに押圧力を加えて押し込むことによってＯＮとなり、押圧力を除くと押圧部９Ａ，９Ｂは元の位置に自己復帰してＯＦＦとなるものである。
【００２６】
また、配線基板７の長手方向中心線の上方には、ステンレス鋼や高力アルミニウム等の剛性材料からなる円形軸１２が上ケース２の長手方向両端部の壁面２Ａ，２Ｂにより、配線基板７と平行に保持されている。
【００２７】
そして、上ケース２の天井面には、４組の右押圧スイッチ８Ａと左押圧スイッチ８Ｂの４組それぞれに対応して４個の同寸法形状の操作釦１４が配設されており、上ケース２の天井面の４組の大角孔６Ａと小角孔６Ｂを貫通して下方へ延ばされた第１脚部１５Ａと第２脚部１５Ｂの先端の円形孔１６Ａ，１６Ｂが円形軸１２に嵌合して、独立して回動可能なように保持されるとともに、上ケース２の天井面上に露出した上部が、それぞれの端部近傍が反対方向への傾倒操作部としての右操作面１７Ａおよび左操作面１７Ｂとなった操作面１７を形成し（図２および図３参照）、その下面が４組の右押圧棒１０と左押圧棒１１の球面形状の太径部１０Ｂ，１１Ｂ上端の球面形状の上端部に当接している。
【００２８】
なお、４個の操作釦１４は、ＡＢＳ樹脂で形成され、その操作面１７上には、操作時に調節できる内容が表示されている。
【００２９】
さらに、４個の操作釦１４の第１脚部１５Ａの側面にはそれぞれ捻りコイルばね２１が配設されており、そのコイル部２２が各円形孔１６Ａの周囲に設けられた円筒状のリブ１８の外周に配されているとともに、両端の右フック部２３Ａと左フック部２３Ｂの外側が、上ケース２の天井面に円形軸１２の軸線を挟んで対称に整列して設けられた４個の大角孔６Ａの斜めになった端面に一定の付勢力をもって弾接すると同時に、この両フック部２３Ａ，２３Ｂの延長された先端部の外側が４個の操作釦１４の各操作面１７の下部に設けられた４対の右突出部１９Ａと左突出部１９Ｂにそれぞれ弾接している（図３参照）。
【００３０】
そして、配線基板７の下面には、対となった４組の右押圧スイッチ８Ａと左押圧スイッチ８Ｂからの信号を取り出すためのコネクタ２５が装着され、リード線２６を経て使用機器の回路に伝達されるようになっている。
【００３１】
本実施の形態による４連型シーソースイッチ１は以上のように構成されるものであり、４個の同形状寸法の操作釦１４が１つの円形軸１２によって嵌合保持されるとともに、通常状態において、４個の操作釦１４はそれぞれの捻りコイルばね２１によって、上ケース２に整列して設けられた大角孔６Ａの端面に弾接しているので、並べられた４個の操作釦１４は上面視・側面視ともに整列した配列状態であり、また操作面１７を押圧操作してスイッチ動作をさせた後にも、捻りコイルばね２１の弾性復元力によってこの状態に復帰する。
【００３２】
なお、この通常状態において、操作釦１４の第２脚部１５Ｂの側面は上ケース２の天井面の小角孔６Ｂのどちらの端面にも当接させないで、僅かなギャップをあけて対峙するようにしておくと、通常状態における操作釦１４の整列はより安定したものとなる。
【００３３】
ここで、本実施の形態による４連型シーソースイッチ１の製造方法について説明する。
【００３４】
まず、図４の本発明の第１の実施の形態による４連型シーソースイッチ１の操作釦と捻りコイルばねの結合方法を説明する部分断面の側面図に示すように、捻りコイルばね２１のコイル部２２を、操作釦１４の第１脚部１５Ａに設けた円形孔１６Ａ周囲の円筒状のリブ１８の外周に嵌め込むとともに、図４に矢印で示すように、両側の右フック部２３Ａと左フック部２３Ｂの先端間隔を狭めながら、操作釦１４の操作面１７下面の右突出部１９Ａと左突出部１９Ｂの間に入れ込んで、両フック部２３Ａ，２３Ｂの先端を２つの右突出部１９Ａと左突出部１９Ｂに弾接・保持させて、ばね付操作釦２８とする。
【００３５】
このように、ばね付操作釦２８として操作釦１４と捻りコイルばね２１をあらかじめ一体化させておくことによって、下記の上ケース２に組み込む作業が非常に容易になる。
【００３６】
なお、捻りコイルばね２１のコイル部２２は、第１脚部に設けた円形孔周囲の円筒状のリブの内周に嵌め込むようにしてもよいが、その場合は、下記に説明する、円形孔に円形軸１２を通す際に邪魔にならないような設定にする必要がある。
【００３７】
次に、本発明の第１の実施の形態による４連型シーソースイッチ１の上ケースの部品結合方法を説明する部分正面断面図である図５（ａ）および図５（ａ）のＦ−Ｆ線における断面図である図５（ｂ）に示すように、上ケース２の天井面に対として設けられた４組の筒状部４Ａ，４Ｂの保持孔５Ａ，５Ｂに、上方から右押圧棒１０と左押圧棒１１の細径部１０Ａ，１１Ａを挿入し、次いで、天井面の４組の大角孔６Ａと小角孔６Ｂに、４組の上記のばね付操作釦２８の第１脚部１５Ａと第２脚部１５Ｂをそれぞれ挿入する。
【００３８】
この時、ばね付操作釦２８の第１脚部１５Ａが保持した捻りコイルばね２１の右フック部２３Ａと左フック部２３Ｂの外側が大角孔６Ａの斜めになった端面（図５（ｂ）参照）に当たる位置まで入ると、各ばね付操作釦２８の第１脚部１５Ａと第２脚部１５Ｂの先端の円形孔１６Ａと円形孔１６Ｂは、上ケース２の長手方向端部の壁面２Ａに設けられた塞がれた穴１３Ａおよび壁面２Ｂに設けられた貫通孔１３Ｂとほぼ同じ中心線上に来る。
【００３９】
そして、図６の本発明の第１の実施の形態による４連型シーソースイッチ１の操作釦挿入後の上ケースに円形軸を挿入する方法を説明する正面断面図に示すように、保持治具２９によってこの状態を保ちながら、円形軸１２を１端の球面部１２Ａ側から上ケース２の壁面２Ｂの貫通孔１３Ｂ内に挿入し、４組のばね付操作釦２８の各脚部先端の円形孔１６Ａ，１６Ｂに順次通してから、最後に球面部１２Ａの部分を上ケース２の壁面２Ａの塞がれた穴１３Ａ内に圧入するとともに、円形軸１２の他端の大径部１２Ｂを壁面２Ｂの貫通孔１３Ｂ内に圧入すると、図７の本発明の第１の実施の形態による４連型シーソースイッチ１の最終組合せ工程を説明する正面断面図に示すような、上ケース仕掛品３０として完成する。
【００４０】
ここで、円形軸１２の外径と、上ケース２の長手方向両端部の壁面２Ａ，２Ｂに設ける塞がれた穴１３Ａおよび貫通孔１３Ｂとの関係について説明する。
【００４１】
円形軸１２は、一定外径のステンレス丸棒または高力アルミニウム合金棒等を所定の長さに切断した後、図６に示すように、一定外径部の一端を球面部１２Ａに加工し、他端は、上ケース２の壁面２Ｂの厚さの範囲内の部分に、小穴をあけて外径を膨らませる等の方法で、大径部１２Ｂに加工したものである。
【００４２】
そして、上ケース２の壁面２Ａの塞がれた穴１３Ａの径は円形軸１２の一定外径よりも僅かに小さく、壁面２Ｂの貫通孔１３Ｂの径は円形軸１２の一定外径よりも僅かに大きく、しかも他端の大径部１２Ｂよりも僅かに小さく形成されている。
【００４３】
したがって、図６に示したように、円形軸１２は、一端の球面部１２Ａをガイドとして、上ケース２の壁面２Ｂの貫通孔１３Ｂ内に挿入し、４組のばね付操作釦２８の各脚部先端の円形孔１６Ａ，１６Ｂに順次通して、最後に球面部１２Ａを上ケース２の壁面２Ａの塞がれた穴１３Ａ内に圧入するとともに、他端の大径部１２Ｂを壁面２Ｂの貫通孔１３Ｂ内に圧入して、円形軸１２を上ケース２の長手方向両端部の壁面２Ａ，２Ｂに、容易にしかもがたつきなく保持させた上ケース仕掛品３０とすることができる。
【００４４】
なお、円形軸１２の一端は球面でなくて面取り加工でもよく、また他端は外径の一部を変形させて大径の部分を形成してもよいものである。
【００４５】
この後、図７に示すように、対となった４組の右押圧スイッチ８Ａと左押圧スイッチ８Ｂを上面に、リード線２６付のコネクタ２５を下面に、それぞれ装着した配線基板仕掛品３１を下ケース３の周囲壁と上記上ケース仕掛品３０下面の周囲壁との間に挟み込んで、両ケースの間をビス（図示せず）で固定すれば、図１に示した本実施の形態による４連型シーソースイッチとして完成する。
【００４６】
なお、このようにして両ケースを組み合わせることにより、上ケース２の壁面２Ｂの貫通孔１３Ｂの外方は下ケース３の周囲壁の延長部３２により塞がれて、円形軸１２は抜けなくなる。
【００４７】
次に、本実施の形態による４連型シーソースイッチ１の動作について説明する。
【００４８】
使用機器において、この４連型シーソースイッチ１で調節できる４つの機能のうちの任意の１つの機能、例えば、旅客機のシートの姿勢を調節する機能のうちの「背もたれ」を調節する場合について説明する。
【００４９】
まず、４連型シーソースイッチ１の４つの機能のうち、図８の本発明の第１の実施の形態による４連型シーソースイッチ１の操作釦の操作面の表示例を示す平面図にあるような表示が操作面１７にある１つの操作釦１４を選び、その操作面１７の左側から見て右端部近傍のＶ印が記された右操作面１７Ａを下方へ押す。
【００５０】
すると、図１に示したＣ−Ｃ線およびＤ−Ｄ線における動作状態を説明する断面図である、図９および図１０において、操作釦１４は捻りコイルばね２１の付勢力に抗して、第１脚部１５Ａ，第２脚部１５Ｂの先端の円形孔１６Ａ，１６Ｂが嵌合した円形軸１２を中心として右方向に回動する。
【００５１】
すなわち、捻りコイルばね２１の左フック部２３Ｂが操作釦１４の左突出部１９Ｂに先端部を押されて上ケース２の大角孔６Ａの端面から離れるとともに、操作釦１４の右操作面１７Ａの傾斜した下面が当接している右押圧棒１０の太径部１０Ｂの球面形状の上端部を下方に押す。
【００５２】
そして、右押圧棒１０の細径部１０Ａの下端が当接している右押圧スイッチ８Ａの押圧部９Ａを真直ぐ下方に押して、右押圧スイッチ８ＡをＯＮにさせると、シートの「背もたれ」が倒れ始める。
【００５３】
そして、「背もたれ」が所望の角度まで倒れた時点で操作釦１４の右操作面１７Ａに加えていた押圧力を除くと、操作面１７下面の左突出部１９Ｂが捻りコイルばね２１の左フック部２３Ｂの先端部に押されて、操作釦１４は、左フック部２３Ｂが上ケース２の大角孔６Ａの端面に当たる位置まで戻り、右押圧スイッチ８Ａは再びＯＦＦとなり、押圧部９Ａも自己復帰力によって元の位置に戻り、右押圧棒１０を元の位置まで押し上げる。
【００５４】
このようにして、シートの「背もたれ」を倒す方向に調節することができる。
【００５５】
同様に、操作釦１４の操作面１７の左操作面１７Ｂを下方へ押すと、今度は左押圧スイッチ８Ｂが動作してシートの「背もたれ」を起きる方向に調節することができる。
【００５６】
本実施の形態による４連型シーソースイッチ１は以上のように動作するものであって、操作釦１４を押して右押圧棒１０または左押圧棒１１が下り始めて右押圧スイッチ８Ａまたは左押圧スイッチ８Ｂの押圧部９Ａまたは押圧部９Ｂが動き始める時点での押圧力は小さくてよいので、操作面１７の傾斜した下面から右押圧棒１０または左押圧棒１１に加わる力が下方に押し下げる分力と横方向に押す分力に分かれて、押し下げる力が少なくなっても、右押圧棒１０または左押圧棒１１の先端の球面形状の上端部で滑って横方向の分力を逃がして、右押圧棒１０または左押圧棒１１は容易に押し下げられる。
【００５７】
そして、最も大きな押し下げ力を右押圧スイッチ８Ａまたは左押圧スイッチ８Ｂに加える必要があるスイッチ動作時点において、操作面１７の下面がほぼ垂直に右押圧棒１０または左押圧棒１１を押すので横方向への分力はなく、右押圧スイッチ８Ａまたは左押圧スイッチ８Ｂを確実に動作させることができる。
【００５８】
以上の説明において、多連型シーソースイッチに配列するシーソースイッチの数を４個としたが、これは３個や６個等任意の数とすることができる。
【００５９】
また、複数個の操作釦をシーソー動作させる押圧力および押圧ストロークも総てのシーソースイッチで同じでなく、異なるものがあってもよい。
【００６０】
さらに、スイッチ接点として配線基板上に配列する複数個の押圧スイッチも電気容量や動作力を部分的に変更することもできる。
【産業上の利用可能性】
【００６１】
本発明の多連型シーソースイッチは、複数個のシーソースイッチを確実に整列して配設できるので、並べられた複数個の操作釦が上面視・側面視ともに安定した配列状態であるとともに、押圧操作時の感触が円滑である。したがって、旅客機や客船等のハイクラス用のシートやマッサージチェアの背もたれや足のせ台等の角度を変えて姿勢を調節するスイッチ等の用途に有用である。
【図面の簡単な説明】
【００６２】
【図１】本発明の第１の実施の形態による４連型シーソースイッチの正面断面図
【図２】図１のＣ−Ｃ線における断面図
【図３】図１のＤ−Ｄ線における断面図
【図４】本発明の第１の実施の形態による４連型シーソースイッチの操作釦と捻りコイルばねの結合方法を説明する部分断面の側面図
【図５】（ａ）本発明の第１の実施の形態による４連型シーソースイッチの上ケースの部品結合方法を説明する部分正面断面図（ｂ）図５（ａ）のＦ−Ｆ線における断面図
【図６】本発明の第１の実施の形態による４連型シーソースイッチの操作釦挿入後の上ケースに円形軸を挿入する方法を説明する正面断面図
【図７】本発明の第１の実施の形態による４連型シーソースイッチの最終組合せ方法を説明する正面断面図
【図８】本発明の第１の実施の形態による４連型シーソースイッチの操作釦の操作面の表示例を示す平面図
【図９】本発明の第１の実施の形態による４連型シーソースイッチの動作状態を説明する、図１に示したＣ−Ｃ線における断面図
【図１０】本発明の第１の実施の形態による４連型シーソースイッチの動作状態を説明する、図１に示したＤ−Ｄ線における断面図
【符号の説明】
【００６３】
１    ４連型シーソースイッチ（多連型シーソースイッチ）
２    上ケース
２Ａ，２Ｂ    壁面
３    下ケース
４Ａ，４Ｂ    筒状部
５Ａ，５Ｂ    保持孔
６Ａ    大角孔
６Ｂ    小角孔
７    配線基板
８Ａ    右押圧スイッチ
８Ｂ    左押圧スイッチ
９Ａ，９Ｂ    押圧部
１０    右押圧棒
１０Ａ，１１Ａ    細径部
１０Ｂ，１１Ｂ    太径部
１１    左押圧棒
１２    円形軸
１２Ａ    球面部
１２Ｂ    大径部
１３Ａ    塞がれた穴
１３Ｂ    貫通孔
１４    操作釦
１５Ａ    第１脚部
１５Ｂ    第２脚部
１６Ａ，１６Ｂ    円形孔
１７    操作面
１７Ａ    右操作面
１７Ｂ    左操作面
１８    リブ
１９Ａ    右突出部
１９Ｂ    左突出部
２１    捻りコイルばね
２２    コイル部
２３Ａ    右フック部
２３Ｂ    左フック部
２５    コネクタ
２６    リード線
２８    ばね付操作釦
２９    保持治具
３０    上ケース仕掛品
３１    配線基板仕掛品
３２    延長部
【図１】
2008226692.tif 000003
【図２】
2008226692.tif 000004
【図３】
2008226692.tif 000005
【図４】
2008226692.tif 000006
【図５】
2008226692.tif 000007
【図６】
2008226692.tif 000008
【図７】
2008226692.tif 000009
【図８】
2008226692.tif 000010
【図９】
2008226692.tif 000011
【図１０】
2008226692.tif 000012